(57)【要約】【課題】使用者の頭部を適切な支持に貢献できる支持構造体を提供する。【解決手段】支持構造体２は、背もたれフレーム２２とヘッドレストフレーム２３とを備えている。ヘッドレストフレーム２３は、背もたれフレーム２２に対して使用者の前後方向に沿って回動可能に連結された本体フレーム２３ａと、本体フレーム２３ａに対して使用者の左右方向に沿って回動可能に連結された補助フレーム２３ｂ及び２３ｃとを備えている。【選択図】図３
0003198274.tif 000002
【実用新案登録請求の範囲】
【請求項１】
背もたれフレームとヘッドレストフレームとを備えた支持構造体であって、
前記ヘッドレストフレームは、前記背もたれフレームに対して第１方向に沿って回動可能に連結された本体フレームと、前記本体フレームに対して前記第１方向と異なる第２方向に沿って回動可能に連結された補助フレームとを備えている、支持構造体。
【請求項２】
前記補助フレームは前記本体フレームの左右両側にそれぞれ設けられている、請求項１に記載の支持構造体。
【請求項３】
前記第１方向は使用者の前後方向であり、前記第２方向は使用者の左右方向である、請求項１又は２に記載の支持構造体。
【請求項４】
前記本体フレームは前記背もたれフレームに対して１５０度〜１８０度の範囲で回動可能であり、前記補助フレームは前記本体フレームに対して１３５度〜１８０度の範囲で回動可能である、請求項１〜３の何れか１項に記載の支持構造体。
【請求項５】
請求項１〜４の何れか１項に記載の支持構造体と、前記支持構造体に被覆されたクッション体とによって構成されている、椅子、座椅子又はソファー。
【考案の詳細な説明】
【技術分野】
【０００１】
本考案は、椅子や座椅子やソファー等の骨組みとして使用可能な支持構造体と、該支持構造体を備えた椅子、座椅子又はソファーに関する。
【背景技術】
【０００２】
前記椅子、座椅子又はソファーに関し、背もたれとヘッドレストとを具備した椅子が例えば後記特許文献１に開示されている。背もたれとヘッドレストは、着座した使用者の上体と頭部をそれぞれ支持する役割を担う。また、同特許文献１に開示されている椅子はその骨組みとしての支持構造体を備えており、該支持構造体は背もたれに対応する背もたれフレームとヘッドレストに対応するヘッドレストフレームとを含んでいる。
【０００３】
ところで、ヘッドレストを備えた椅子に関し、使用者は自らの頭部をヘッドレストに置いて休憩や仮眠を取る際に、自らの体形や好みに基づいてヘッドレストを頭部にフィットさせることを望んでいる。しかしながら、後記特許文献１に開示されている椅子はヘッドレストが固定されているため、前記要望に沿うことが難しい。特に、使用者が自らの頭部をヘッドレストに置いて仮眠を取る場合、ヘッドレストが頭部を適切に支持できなれば使用者の首や肩等がリラックスできず、仮眠を快適なものとすることが難しくなる。このことは、ヘッドレストを備えた座椅子やソファー等においても同様である。
【先行技術文献】
【特許文献】
【０００４】
【特許文献１】特開２００７−２２９０５８号公報
【考案の概要】
【考案が解決しようとする課題】
【０００５】
本考案の課題は、使用者の頭部の適切な支持に貢献できる支持構造体と、該支持構造体を備えた椅子、座椅子又はソファーを提供することにある。
【課題を解決するための手段】
【０００６】
前記課題を解決するため、本考案に係る支持構造体は、背もたれフレームとヘッドレストフレームとを備えており、前記ヘッドレストフレームは、前記背もたれフレームに対して第１方向に沿って回動可能に連結された本体フレームと、前記本体フレームに対して前記第１方向と異なる第２方向に沿って回動可能に連結された補助フレームとを備えている。
【０００７】
この構成によれば、ヘッドレストに対応するヘッドレストフレームが備える本体フレーム及び補助フレームそれぞれの角度調整を使用者が行うことによって、ヘッドレストを自らの頭部にフィットさせて該ヘッドレストによる頭部の支持を適切に行うことができる。特に、使用者が自らの頭部をヘッドレストに置いて仮眠を取る場合にあっては、ヘッドレストの補助支持部に対応する補助フレームの角度調整によって仮眠時における頭部の支持を最適化して、仮眠を快適なものとすることができる。
【０００８】
また、前記補助フレームは前記本体フレームの左右両側にそれぞれ設けられている、ことが望ましい。加えて、前記第１方向は使用者の前後方向であり、前記第２方向は使用者の左右方向である、ことが望ましい。
【０００９】
この構成によれば、ヘッドレストの補助支持部に対応するヘッドレストフレームの補助フレームが、ヘッドレストの本体部に対応するヘッドレストフレームの本体フレームの左右両側にそれぞれ設けているため、ヘッドレストの本体部によって使用者の頭部を後から支持することができると共に、ヘッドレストの２つの補助支持部によって使用者の頭部を左右から支持することができる。これにより、ヘッドレストによる使用者の頭部の支持を安定な状態又は包み込むような状態で行って、使用者に快適な休憩や仮眠を提供することができる。
【００１０】
さらに、前記本体フレームは前記背もたれフレームに対して１５０度〜１８０度の範囲で回動可能であり、前記補助フレームは前記本体フレームに対して１３５度〜１８０度の範囲で回動可能である、ことが望ましい。
【００１１】
この構成によれば、ヘッドレストの本体部に対応するヘッドレストフレームの本体フレームを、背もたれに対応する背もたれフレームに対して１５０度〜１８０度の範囲で回動でき、しかも、ヘッドレストの補助支持部に対応するヘッドレストフレームの補助フレームを、ヘッドレストの本体部に対応するヘッドレストフレームの本体フレームに対して１３５度〜１８０度の範囲で回動できるので、ヘッドレストの本体部と補助支持部を適宜回動することによって、該ヘッドレストによる頭部の支持態様を使用者が自由に、且つ、的確に選択することができる。
【００１２】
さらに、本考案に係る椅子、座椅子又はソファーは、前掲の支持構造体をクッション体で被覆することにより構成されている。
【図面の簡単な説明】
【００１３】
【図１】図１は本考案を適用した座椅子の外観斜視図である。
【図２】図２は図１に示したヘッドレストの平面図である。
【図３】図３は図１に示した座椅子に使用されている支持構造体の平面図である。
【図４】図４（ａ）及び図４（ｂ）は図３に示した支持構造体の側面図である。
【図５】図５（ａ）及び図５（ｂ）は図３に示したヘッドレストフレームの側面図である。
【考案を実施するための形態】
【００１４】
以下、図面を参照して、本考案の一実施形態、具体的には本考案を適用した座椅子用支持構造体と、該支持構造体を備えた座椅子について説明する。
【００１５】
図１及び図２に示した座椅子１は、骨組みとしての支持構造体２（図３〜図５を参照）と、支持構造体２の全体に被覆されたクッション体３とによって構成されている。また、座椅子１は、座部１１と、背もたれ１２と、ヘッドレスト１３とを備えている。ヘッドレスト１３は、図２に示したように、使用者の頭部の後側に位置する本体部１３ａと、本体部１３ａの左右両側にそれぞれ設けられていて使用者の頭部の左右両側に位置する２つの補助支持部１３ｂ及び１３ｃとによって構成されている。
【００１６】
図３〜図５に示したように、支持構造体２は、座部１１に対応する座部フレーム２１と、背もたれ１２に対応する背もたれフレーム２２と、ヘッドレスト１３に対応するヘッドレストフレーム２３とを備えている。座部フレーム２１と背もたれフレーム２２とヘッドレスト１３は、例えばアルミニウム合金等の硬質材料によって形成されている。
【００１７】
座部フレーム２１は、平面視が略矩形枠状を成しており、座椅子１を床に置いたときに床と略平行な状態となる。
【００１８】
背もたれフレーム２２は、略Ｕ字状の本体フレーム２２ａと、本体フレーム２２ａに固定されて図３上方に伸びた支持フレーム２２ｂとを備えている。本体フレーム２２ａの図３下側の２つの端部は、ヒンジ機構４１を介して、座部フレーム２１に連結されている。ヒンジ機構４１はラチェット機構であり、該ヒンジ機構４１により、背もたれフレーム２２が座部フレーム２１に対して所定の角度範囲α（例えば１００度〜１８０度の範囲）で回動可能に連結されている。即ち、背もたれフレーム２２は、使用者の前後方向に沿って回動できるように座部フレーム２１に連結されており、使用者の好みに従って同方向におえる所定の角度位置に固定することができる。
【００１９】
ヘッドレストフレーム２３は、略Ｕ字状の本体フレーム２３ａと、２つの補助フレーム２３ｂ及び２３ｃとを備えている。本体フレーム２３ａの図３下側の２つの端部は、ヒンジ機構４２を介して、背もたれフレーム２２の支持フレーム２２ｂの先端に連結されている。ヒンジ機構４２はラチェット機構であり、該ヒンジ機構４２により、本体フレーム２３ａ（換言すればヘッドレストフレーム２３）が背もたれフレーム２２に対して所定の角度範囲β（例えば１５０度〜１８０度の範囲）で回動可能に連結されている。即ち、本体フレーム２３ａ（換言すればヘッドレストフレーム２３）は、使用者の前後方向（第１方向）に回動できるように背もたれフレーム２２に連結されており、使用者の好みに従って同方向における所定の角度位置に固定することができる。因みに、図４（ａ）は本体フレーム２３ａと背もたれフレーム２２との間の角度が１８０度である状態を示し、図４（ｂ）は本体フレーム２３ａと背もたれフレーム２２との間の角度が１５０度である状態を示す。
【００２０】
また、２つの補助フレーム２３ｂ及び２３ｃは、ヒンジ機構５１及び５２を介して、本体フレーム２３ａの左右両側（図３の左右両側）にそれぞれ連結されている。ヒンジ機構５１及び５２はラチェット機構であり、該ヒンジ機構５１及び５２により、２つの補助フレーム２３ｂ及び２３ｃが本体フレーム２３ａに対して所定の角度範囲γ（例えば１３５度〜１８０度の範囲）で回動可能に連結されている。即ち、２つの補助フレーム２３ｂ及び２３ｃは、使用者の左右方向（第２方向）に沿って回動できるように本体フレーム２３ａに連結されており、使用者の好みに従って同方向における所定の角度位置に固定することができる。因みに、図５（ａ）は２つの補助フレーム２３ｂ及び２３ｃと本体フレーム２３ａとの間の角度が１８０度である状態を示し、図５（ｂ）は２つの補助フレーム２３ｂ及び２３ｃと本体フレーム２３ａとの間の角度が１３５度である状態を示す。図５（ｂ）には本体フレーム２３ａに対する２つの補助フレーム２３ｂ及び２３ｃの成す角度が同じものを示してあるが、２つの補助フレーム２３ｂ及び２３ｃは個別操作が可能であるため、本体フレーム２３ａに対する２つの補助フレーム２３ｂ及び２３ｃそれぞれの成す角度を異ならせることも可能である。
【００２１】
冒頭でも述べたように、図１及び図２に示した座椅子１は、前記支持構造体２にクッション体３を被覆することによって構成されている。前記支持構造体２の背もたれフレーム２２が座部フレーム２１に対して所定の角度範囲αで回動可能であるため、使用者が座部１１に着座して座椅子１を使用する際、背もたれ１２を使用者の前後方向に沿って回動させることによって、背もたれ１２と座部１１との間の角度を自らの好みに従って調整することができる。
【００２２】
また、前記支持構造体２のヘッドレストフレーム２３の本体フレーム２３ａが背もたれフレーム２２に対して所定の角度範囲βで回動可能であるため、使用者が座部１１に着座して座椅子１を使用する際、ヘッドレスト１３の本体部１３ａを使用者の前後方向（第１方向）に沿って回動させることによって、ヘッドレスト１３の本体部１３ａと背もたれ１２との間の角度を自らの好みに従って調整することができる。
【００２３】
さらに、前記支持構造体２のヘッドレストフレーム２３の２つの補助フレーム２３ｂ及び２３ｃそれぞれが本体フレーム２３ａに対して所定の角度範囲γで回動可能であるため、使用者が座部１１に着座して座椅子１を使用する際、ヘッドレスト１３の２つの補助支持部１３ｂ及び１３ｃを使用者の左右方向（第２方向）に沿って回動させることによって、ヘッドレスト１３の２つの補助支持部１３ｂ及び１３ｃと本体部１３ａとの間の角度を自らの好みに従って調整することができる。
【００２４】
以上述べたように、前述の実施形態、即ち、座椅子用支持構造体と、該支持構造体を備えた座椅子によれば、下記（１）〜（３）の効果を得ることができる。
【００２５】
（１）ヘッドレスト１３の本体部１３ａに対応するヘッドレストフレーム２３の本体フレーム２３ａが、背もたれ１２に対応する背もたれフレーム２２に対して使用者の前後方向（第１方向）に沿って回動可能であると共に、ヘッドレスト１３の２つの補助支持部１３ｂ及び１３ｃに対応するヘッドレストフレーム２３の２つの補助フレーム２３ｂ及び２３ｃそれぞれが、ヘッドレスト１３の本体部１３ａに対応するヘッドレストフレーム２３の本体フレーム２３ａに対して使用者の左右方向（第２方向）に沿って回動可能であるため、使用者は頭部の高さ位置、前後傾き及び左右向き等に適合するようにヘッドレスト１３の本体部１３ａの角度と２つの補助支持部１３ｂ及び１３ｃそれぞれの角度を調整することができ、これら複数の角度調整によってヘッドレスト１３を頭部にフィットさせて該ヘッドレスト１３による頭部の支持を適切に行うことができる。特に、使用者が自らの頭部をヘッドレスト１３に置いて仮眠を取る場合にあっては、２つの補助フレーム２３ｂ及び２３ｃに対応する２つの補助支持部１３ｂ及び１３ｃそれぞれの角度調整によって仮眠時における頭部の支持を最適化して、仮眠を快適なものとすることができる。
【００２６】
（２）ヘッドレスト１３の２つの補助支持部１３ｂ及び１３ｃに対応するヘッドレストフレーム２３の２つの補助フレーム２３ｂ及び２３ｃが、ヘッドレスト１３の本体部１３ａに対応するヘッドレストフレーム２３の本体フレーム２３ａの左右両側にそれぞれ設けているため、ヘッドレスト１３の本体部１３ａによって使用者の頭部を後から支持することができると共に、ヘッドレスト１３の２つの補助支持部１３ｂ及び１３ｃによって使用者の頭部を左右から支持することができる。これにより、ヘッドレスト１３による使用者の頭部の支持を安定な状態又は包み込むような状態で行って、使用者に快適な休憩や仮眠を提供することができる。
【００２７】
（３）ヘッドレスト１３の本体部１３ａに対応するヘッドレストフレーム２３の本体フレーム２３ａが、背もたれ１２に対応する背もたれフレーム２２に対して角度範囲β（例えば１５０度〜１８０度の範囲）で回動可能であり、しかも、ヘッドレスト１３の２つの補助支持部１３ｂ及び１３ｃに対応するヘッドレストフレーム２３の２つの補助フレーム２３ｂ及び２３ｃそれぞれが、ヘッドレスト１３の本体部１３ａに対応するヘッドレストフレーム２３の本体フレーム２３ａに対して角度範囲γ（例えば１３５度〜１８０度の範囲）で回動可能であるため、ヘッドレスト１３の本体部１３ａと２つの補助支持部１３ｂ及び１３ｃを適宜回動することによって、該ヘッドレスト１３による頭部の支持態様を使用者が自由に、且つ、的確に選択することができる。
【００２８】
以下、前述の実施形態の変形例について説明する。前述の実施形態では、ヘッドレスト１３の本体部１３ａに対応するヘッドレストフレーム２３の本体フレーム２３ａが、背もたれ１２に対応する背もたれフレーム２２に対して１５０度〜１８０度の範囲で回動可能であり、しかも、ヘッドレスト１３の２つの補助支持部１３ｂ及び１３ｃに対応するヘッドレストフレーム２３の２つの補助フレーム２３ｂ及び２３ｃそれぞれが、ヘッドレスト１３の本体部１３ａに対応するヘッドレストフレーム２３の本体フレーム２３ａに対して１３５度〜１８０度の範囲で回動可能であるものを示したが、各々の角度範囲は前記に限定されるものではなく、必要に応じて各々の角度範囲を規定する下限値及び上限値を他の値に変更しても良い。
【００２９】
また、前述の実施形態では、ヘッドレスト１３の２つの補助支持部１３ｂ及び１３ｃに対応するヘッドレストフレーム２３の２つの補助フレーム２３ｂ及び２３ｃそれぞれを、ヘッドレスト１３の本体部１３ａに対応するヘッドレストフレーム２３の本体フレーム２３ａに対して使用者の左右方向に沿って回動できるものを示したが、２つの補助フレーム２３ｂ及び２３ｃの回動方向は前記に限定されるものではなく、例えば２つの補助フレーム２３ｂ及び２３ｃそれぞれを本体フレーム２３ａに対して使用者の斜め上下方向に沿って回動できるようにしても良い。
【００３０】
さらに、前述の実施形態では、ヘッドレスト１３の２つの補助支持部１３ｂ及び１３ｃに対応するヘッドレストフレーム２３の２つの補助フレーム２３ｂ及び２３ｃを、ヘッドレスト１３の本体部１３ａに対応するヘッドレストフレーム２３の本体フレーム２３ａの左右両側にそれぞれに設けたものを示したが、本体フレーム２３ａの左側又は右側のみに１つの補助フレームを設けるようにしても良い。
【００３１】
さらに、前述の実施形態では、本考案を座椅子用支持構造体と該支持構造体を備えた座椅子に適用したものを示したが、本考案を椅子用支持構造体と該支持構造体を備えた椅子に適用しても、本考案をソファー用支持構造体と該支持構造体を備えたソファーに適用しても、前記同様の作用及び効果を得ることができる。
【符号の説明】
【００３２】
１…座椅子、１１…座部、１２…背もたれ、１３…ヘッドレスト、１３ａ…本体部、１３ｂ，１３ｃ…補助支持部、２…支持構造体、２１…座部フレーム、２２…背もたれフレーム、２２ａ…本体フレーム、２２ｂ…支持フレーム、２３…ヘッドレストフレーム、２３ａ…本体フレーム、２３ｂ，２３ｃ…補助フレーム、４１，４２…ヒンジ機構、５１，５２…ヒンジ機構、３…クッション体。
【図１】
0003198274.tif 000003
【図２】
0003198274.tif 000004
【図３】
0003198274.tif 000005
【図４】
0003198274.tif 000006
【図５】
0003198274.tif 000007